(57)【要約】【課題】隣接するカバー片同士の引っ掛かりを抑制して衝撃音が発生する可能性を抑制したテレスコカバーを提供することにある。【解決手段】上板１２と、上板１２の両側に配置された側板１３，１４と、上板１２および側板１３，１４に接続される固定板を有し、前後方向に開放したカバー片を複数具備し、これらが相対移動可能に積層して配置されたテレスコカバー５０であって、カバー片の側板１３，１４に緩衝材１７を設けて、伸長時に前記緩衝材が隣接するカバー片の固定板と接触するようにして、テレスコカバー５０を収縮する時に、隣接するカバー片の引っ掛かりによる持ち上がりを抑制するようにした。【選択図】図１
2007296591.tif 000002
【特許請求の範囲】
【請求項１】
上板と、前記上板の両側に配置された側板と、前記上板および前記側板に接続される固定板とを有し、前後方向に開放したカバー片を複数具備し、これらが相対移動可能に積層して配置されたテレスコカバーであって、
前記カバー片の側板に緩衝材を設けて、伸長時に前記緩衝材が隣接するカバー片の固定板と接触するようにした
ことを特徴とするテレスコカバー。
【請求項２】
請求項１に記載されたテレスコカバーであって、
前記緩衝材が波状に形成される
ことを特徴とするテレスコカバー。
【請求項３】
請求項１または請求項２に記載されたテレスコカバーであって、
前記緩衝材が前記側板の前側端部近傍に配置される
ことを特徴とするテレスコカバー。
【発明の詳細な説明】
【技術分野】
【０００１】
本発明は、テレスコカバーに関し、特に、工作機械などのテーブルの移動に伴って伸縮する摺動部を切粉、塵埃等から保護するテレスコカバーに関する。
【背景技術】
【０００２】
従来、テレスコカバーは、工作機械などのテーブルの移動に伴って伸縮する摺動部を外側から覆っており、切粉、塵埃等から前記工作機械などの摺動部を保護している。
【０００３】
上述したテレスコカバーとして、複数のカバー片からなり、収縮した時に、隣接するカバー片同士の接触時の騒音発生を防止する構造を有するテレスコカバー、例えば、カバー収縮時に隣接するカバー片を受けるためのストッパーが設けられたテレスコカバーが知られている（例えば、特許文献１を参照）。
【０００４】
このテレスコカバーでは、略水平方向に延在するスライドプレートと、前記スライドプレートの一方の端部に接続され、下方に延在する支持プレートと、前記支持プレートに溶接で連結され、逆Ｕ字型に形成された固定体と、前記固定体の上部に取り付けられたストッパーと、前記スライドプレートの他方の端部に固定された連結片と、前記連結片の下部に取着されたシール部材とを有するカバー片が複数相対移動可能に積層して配置されている。
【０００５】
【特許文献１】特開２００２−３４６８７８号公報
【発明の開示】
【発明が解決しようとする課題】
【０００６】
しかしながら、上述したテレスコカバーでは、収縮する時に隣接するカバー片同士がストッパーを介して接触することとなり、前記隣接するカバー片同士の接触による破損および騒音の発生を防止することができるものの、収縮する時にシール部材が隣接するカバー片のスライドプレートの上面に引っ掛かり、このカバー片の他方の端部側（カバー片における伸縮方向の反対側の端部側）が上方に持ち上げられ、それが下方に落ちたときに衝撃音が発生してしまう可能性があった。
【０００７】
そこで、本発明は、前述した問題に鑑み提案されたもので、隣接するカバー片同士の引っ掛かりを抑制して衝撃音が発生する可能性を抑制したテレスコカバーを提供することを目的とする。
【課題を解決するための手段】
【０００８】
上述した課題を解決する第１の発明に係るテレスコカバーは、上板と、前記上板の両側に配置された側板と、前記上板および前記側板に接続される固定板とを有し、前後方向に開放したカバー片を複数具備し、これらが相対移動可能に積層して配置されたテレスコカバーであって、前記カバー片の側板に緩衝材を設けて、伸長時に前記緩衝材が隣接するカバー片の固定板と接触するようにしたことを特徴とする。
【０００９】
上述した課題を解決する第２の発明に係るテレスコカバーは、第１の発明に記載されたテレスコカバーであって、前記緩衝材が波状に形成されることを特徴とする。
前記緩衝材としては、弾性体であるゴムなどが挙げられる。
【００１０】
上述した課題を解決する第３の発明に係るテレスコカバーは、第１または第２の発明に記載されたテレスコカバーであって、前記緩衝材が前記側板の前側端部近傍に配置されることを特徴とする。
【発明の効果】
【００１１】
本発明に係るテレスコカバーによれば、収縮した時に、カバー片の緩衝材が隣接するカバー片に引っ掛かることによる当該カバー片の端部側の持ち上がりが抑制される。よって、持ち上がったカバー片が下げられたときに生じる衝撃音の発生を抑制することができる。また、テレスコカバーを伸長した時に、隣接するカバー片同士が直接接触することを回避することができると共に、それが伸長する大きさを規制することができる。
【００１２】
緩衝材が波状に形成されることにより、テレスコカバーを伸長した時に、当該緩衝材と隣接するカバー片が緩衝材の波形状の先端にて接触し、この緩衝材が徐々に変形することで、テレスコカバーの伸長時の力を徐々に弱めて吸収することができる。
【００１３】
また、緩衝材を側板の前側端部の近傍に配置されることにより、隣接するカバー片同士が重なり合う箇所を少なくすることができ、１つのカバー片により工作機械の摺動部を効率的に広く覆うことができる。
【発明を実施するための最良の形態】
【００１４】
以下に、本発明に係るテレスコカバーを実施するための最良の形態を実施例に基づき具体的に説明する。
【実施例１】
【００１５】
以下に、本発明の第１の実施例に係るテレスコカバーにつき、図面を用いて具体的に説明する。
図１は、本発明の第１の実施例に係るテレスコカバーの斜視図であり、図２は、その一方の側部の断面図であり、図３は、その他方の側部の断面図である。図４は、本発明の第１の実施例に係るテレスコカバーが有するカバー片の斜視図である。図５は、本発明の第１の実施例に係るテレスコカバーが有するカバー片の側面図である。図６は、本発明の第１の実施例に係るテレスコカバーが有するカバー片が具備する緩衝材の側面図である。
【００１６】
本発明の第１の実施例に係るテレスコカバーは、工作機械などのテーブルの移動に伴って伸縮する摺動部を切粉、塵埃等から保護するものである。このようなテレスコカバー５０は、図１に示すように、複数のカバー片、図中では３つのカバー片１１Ａ，１１Ｂ，１１Ｃを有し、これらカバー片１１Ａ，１１Ｂ，１１Ｃが水平方向に相対移動可能に積層して配置される。
【００１７】
カバー片１１Ａは、図４に示すように、略水平方向に延在する上板１２と、上板１２の両方の側部にそれぞれ接続し、下方に向けて延在する側板１３，１４と、上板１２の後部１２ｂおよび側板１３，１４の後部１３ｂ，１４ｂに接続し、逆Ｕ字型の固定板１５とを有する。よって、このカバー片１１は、前後方向および下方に開放した形状となる。なお、上板１２は、中央がその両側に比べて上方に凸となる形状である。
【００１８】
固定板１５は、上板１２および側板１３，１４よりも外側に延在する固定部１５ａと、上板１２および側板１３，１４よりも内側に延在する支持部１５ｂとを有する。
【００１９】
上板１２および側板１３，１４の内側における前方端部１２ａ，１３ａ，１４ａには、シール部材であるワイパ１６が取り付けられる。このワイパ１６は、ワイパ１６が取り付けられるカバー片よりも内側に配置されるカバー片の側板１３，１４の外面に接触する形状である。ワイパ１６は、テレスコカバー５０を伸長したり、それを収縮したりしたときに追随することができる材質であれば良く、例えばゴムなどが挙げられる。このようなワイパ１６を設けることにより、カバー片の表面に付着した水や油などのカバー片内部への浸入が抑制される。
【００２０】
また、側板１３，１４の内側における前側端部１３ａ，１４ａ近傍には、図２、図３、および図６に示すように、上下方向に延在する緩衝材１７がそれぞれ第１および第２の補強板２２，２３により固定される。具体的には、緩衝材１７は、ワイパ１６と対向する側に配置された第１の補強板２２により側板１３，１４にそれぞれ固定されると共に、その側部が第２の補強板２３により側板１３，１４にそれぞれ固定される。これら緩衝材１７により、テレスコカバー５０を伸長した時に、それらの相対移動距離を所定の大きさにて規制することができる。また、このような位置に配置することにより、隣接するカバー片同士が重なり合う箇所を少なくすることができ、１つのカバー片により工作機械などの摺動部を効率良く覆うことができる。
【００２１】
緩衝材１７としては、弾性体であるゴムなどが挙げられる。このような材質を用いることにより、複数のカバー片が伸長され、隣接するカバー片の固定板１５の固定部１５ａと緩衝材１７とが接触したときに、そのときに生じる接触音を抑制することができる。
【００２２】
ここで、緩衝材１７において、ワイパ１６と対向する側を前方部とし、固定板１５と対向する側を後方部１７ａとする。この緩衝材１７の後方部１７ａは、波状に形成される。よって、テレスコカバー５０が伸長した時に、緩衝材１７の後方部１７ａが隣接するカバー片の固定板１５と接触して、この時の力（衝撃）が緩衝材１７に吸収される。具体的には、隣接するカバー片同士が接触した時、最初に緩衝材１７の波状の先端が接触しこの箇所から衝撃が徐々に吸収され、前記衝撃が大きいと、緩衝材１７の波形状の先端側が変形していき、隣接するカバー片との接触面が大きくなってさらに衝撃が吸収される。すなわち、緩衝材１７が波形状であることにより、隣接するカバー片と接触するときに、最初は先端だけが接触し、前記衝撃の大きさに応じて緩衝材１７が変形されて当該緩衝材１７と隣接するカバー片との接触面が大きくなって前記衝撃が吸収されていく。
【００２３】
固定板１５の支持部１５ｂの外側（後方側）には、図５に示すように、略水平に延在する樋１８が固定される。この樋１８により、カバー片内に浸入した水や油などがカバー片の外側に排出される。
【００２４】
固定板１５の支持部１５ｂにおける樋１８の下方に位置して、ストッパ１９がボルト２１により固定される。このストッパ１９により、テレスコカバー５０が収縮した時に、
ストッパが隣接するカバー片の支持部１５ｂと接触するので、隣接するカバー片同士、またはカバー片と隣接するカバー片の樋１８とが接触することを回避できる。
【００２５】
なお、カバー片１１Ｂ，１１Ｃは、上記カバー片１１Ｃと同じ形状である。また、これらカバー片１１Ｂ，１１Ｃは、上記カバー片１１と同様に、ワイパ１６、緩衝材１７、樋１８やストッパ１９などを具備する。
【００２６】
したがって、本発明の第１の実施例に係るテレスコカバー５０によれば、収縮した時に、カバー片の緩衝材１７が隣接するカバー片に引っ掛かることによる当該カバー片の端部側の持ち上がりが抑制される。よって、持ち上がったカバー片が下げられたときに生じる衝撃音の発生を抑制することができる。また、テレスコカバー５０を伸長した時に、隣接するカバー片同士が直接接触することを回避することができると共に、それが伸長する大きさを規制することができる。
【００２７】
緩衝材１７が波状に形成されることにより、テレスコカバー５０を伸長した時に、当該緩衝材１７と隣接するカバー片が緩衝材の波形状の先端にて接触し、この緩衝材１７が徐々に変形することで、テレスコカバー５０の伸長時の力を徐々に弱めて吸収することができる。
【産業上の利用可能性】
【００２８】
本発明は、テレスコカバーに利用することが可能であり、特に、工作機械などのテーブルの移動に伴って伸縮する摺動部を切粉、塵埃等から保護するテレスコカバーに利用することが可能である。
【図面の簡単な説明】
【００２９】
【図１】本発明の第１の実施例に係るテレスコカバーの斜視図である。
【図２】本発明の第１の実施例に係るテレスコカバーの一方の側部の断面図である。
【図３】本発明の第１の実施例に係るテレスコカバーの他方の側部の断面図である。
【図４】本発明の第１の実施例に係るテレスコカバーが有するカバー片の斜視図である。
【図５】本発明の第１の実施例に係るテレスコカバーが有するカバー片の側面図である。
【図６】本発明の第１の実施例に係るテレスコカバーが有するカバー片が具備する緩衝材の側面図である。
【符号の説明】
【００３０】
１１                カバー片
１２                上板
１３，１４          側板
１５                固定板
１６                ワイパ
１７                緩衝材
１８                樋
１９                ストッパ
２１                ボルト
２２                第１の補強板
２３                第２の補強板
５０                テレスコカバー
【図１】
2007296591.tif 000003
【図２】
2007296591.tif 000004
【図３】
2007296591.tif 000005
【図４】
2007296591.tif 000006
【図５】
2007296591.tif 000007
【図６】
2007296591.tif 000008